【手続補正書】
【提出日】平成16年4月23日(2004.4.23)
【手続補正１】
【補正対象書類名】明細書
【補正対象項目名】全文
【補正方法】変更
【補正の内容】
【発明の名称】遊技機
【特許請求の範囲】
【請求項１】球が打ち込まれる遊技領域が表面側に形成された遊技盤と、その遊技盤が取り付けられる取付枠と、その取付枠または遊技盤の裏面側に配設される機構盤とを備えた遊技機において、
前記機構盤に設けられる第１結合部と、その第１結合部に対応して前記遊技盤または取付枠の裏面側に設けられる第２結合部とを有し、その第２結合部および第１結合部を結合して前記機構盤を前記遊技盤又は取付枠の裏面側の所定位置に固定する固定具と、
その固定具の前記第１結合部の近傍に設けられ前記遊技盤または取付枠の裏面側に止着可能に形成される補助止着部とを備えていることを特徴とする遊技機。
【請求項２】前記機構盤は、その機構盤の骨格をなす枠フレームと、その枠フレームの上部に配設され多量の球を貯留可能に形成された球タンクとを備え、前記固定具および補助止着部は前記枠フレームにおける前記球タンクの配設位置の近傍に設けられていることを特徴とする請求項１記載の遊技機。
【請求項３】前記機構盤は、その機構盤の骨格をなすとともに各種の構成部品が搭載される枠フレームと、その枠フレームの一側縁部に設けられ、その枠フレームを前記遊技盤または取付枠の裏面側に開閉可能に軸支する開閉軸とを備え、前記固定具および補助止着部は、その枠フレームにおける前記開閉軸とは反対側に設けられていることを特徴とする請求項１又は２に記載の遊技機。
【請求項４】前記補助止着部に対応して前記遊技盤または取付枠に設けられる連結部と、その連結部と前記補助止着部とを連結して、その補助止着部を前記遊技盤または取付枠の裏面側に着脱可能に止着する止着部材とを備えていることを特徴とする請求項１から３のいずれかに記載の遊技機。
【請求項５】前記機構盤には、前記補助止着部に隣接して、前記止着部材を取り外し可能に保持する保持部材が設けられていることを特徴とする請求項４記載の遊技機。
【発明の詳細な説明】
【０００１】
【発明の属する技術分野】
本発明は、遊技盤または取付枠の裏面側に配設される機構盤を備えた遊技機に関し、特に、固定具による機構盤の固定を補助することができ、且つ、固定具が破損した場合であっても機構盤を遊技盤または取付枠の裏面側に止着することができる遊技機に関するものである。
【０００２】
【従来の技術】
球を遊技領域へ打ち込んで遊技を行うパチンコ機は、賞球や貸し球を払い出す球払出装置を搭載した機構盤を備えている。この機構盤は、前面枠の裏面側に開閉可能に取着される枠フレームを備えており、この枠フレームの上部には球払出装置により払い出される多量の球を貯留する球タンクが配設されている。このような機構盤を遊技盤や前面枠の裏面側に取着する場合には、機構盤のメンテナンス等を考慮して、パネルファスナなどの固定具を介して、機構盤を遊技盤や前面枠に着脱可能な状態で取り付ける必要がある。
【０００３】
このような機構盤と遊技盤等との結合は、機構盤の枠フレームに取着された固定具が前面枠に設けられる係合ボスに押し込まれることにより、固定具が係合ボスと係合され、機構盤と前面枠とが結合されるのである。
【０００４】
【発明が解決しようとする課題】
しかしながら、機構盤の枠フレームに取着される固定具や前面枠の係合ボスは、主に、合成樹脂材料で形成されるので、金属材料に比べて剛性強度が小さい。このため、機構盤の球タンクに多量の球が貯留されると、この貯留された球の重みにより、固定具と係合ボスとの係合部分に過負荷が加わり、固定具や係合ボスが摩滅して破損してしまう。このため、固定具により枠フレームを確実に固定することができず、機構盤が前面枠の裏面でガタついてしまうという問題点があった。
【０００５】
かかる場合には、破損した固定具を別の固定具に即座に交換すればよいが、交換用の固定具の在庫がない場合には、かかる交換用の固定具を発注して取り寄せなければならない。このため、固定具が交換されるまでの期間は、枠フレームを前面枠に固定することができない。このように枠フレームが固定されないままの状態で、パチンコ機が稼動されると、球タンクに貯留される多量の球の重みにより、枠フレームが歪んでしまい、ひいては枠フレーム自体が破損してしまうという問題点があった。
【０００６】
また、一方で、係合ボスは合成樹脂材料で前面枠に一体的に形成されるので、かかる係合ボスが破損すると、前面枠を交換しなければならない。かかる前面枠は固定具に比べて高価であるため、かかる交換に要するコストが増加してしまうという問題点があった。
【０００７】
本発明は、上述した問題点を解決するためになされたものであり、固定具による機構盤の固定を補助することができ、且つ、固定具が破損した場合であっても機構盤を遊技盤または取付枠の裏面側に止着することができる遊技機を提供することを目的としている。
【０００８】
【課題を解決するための手段】
この目的を達成するために請求項１記載の遊技機は、球が打ち込まれる遊技領域が表面側に形成された遊技盤と、その遊技盤が取り付けられる取付枠と、その取付枠または遊技盤の裏面側に配設される機構盤とを備え、前記機構盤に設けられる第１結合部と、その第１結合部に対応して前記遊技盤または取付枠の裏面側に設けられる第２結合部とを有し、その第２結合部および第１結合部を結合して前記機構盤を前記遊技盤又は取付枠の裏面側の所定位置に固定する固定具と、その固定具の前記第１結合部の近傍に設けられ前記遊技盤または取付枠の裏面側に止着可能に形成される補助止着部とを備えている。
【０００９】
この請求項１記載の遊技機によれば、遊技盤が取付枠に取り付けられ、その取付枠または遊技盤の裏面側に機構盤が配設される。機構盤が配設されると、機構盤に設けられる第１結合部が遊技盤または取付枠の裏面側に設けられる第２結合部に結合される。この第１及び第２結合部の結合により、固定具は、機構盤を遊技盤または取付枠の裏面側の所定位置に固定する。
【００１０】
ここで、例えば、機構盤を固定する固定具が破損した場合には、遊技盤または取付枠の裏面側に補助止着部を止着することによって、機構盤が遊技盤または取付枠の所定位置に固定される。一方、固定具が破損することなく機構盤を固定することができる場合であっても、補助止着部を遊技盤または取付枠の裏面側に止着することによって、機構盤を固定する固定具に加わる負荷が軽減される。
請求項２記載の遊技機は、請求項１記載の遊技機において、前記機構盤は、その機構盤の骨格をなす枠フレームと、その枠フレームの上部に配設され多量の球を貯留可能に形成された球タンクとを備え、前記固定具および補助止着部は前記枠フレームにおける前記球タンクの配設位置の近傍に設けられている。
請求項３記載の遊技機は、請求項１又は２に記載の遊技機において、前記機構盤は、その機構盤の骨格をなすとともに各種の構成部品が搭載される枠フレームと、その枠フレームの一側縁部に設けられ、その枠フレームを前記遊技盤または取付枠の裏面側に開閉可能に軸支する開閉軸とを備え、前記固定具および補助止着部は、その枠フレームにおける前記開閉軸とは反対側に設けられている。
請求項４記載の遊技機は、請求項１から３のいずれかに記載の遊技機において、前記補助止着部に対応して前記遊技盤または取付枠に設けられる連結部と、その連結部と前記補助止着部とを連結して、その補助止着部を前記遊技盤または取付枠の裏面側に着脱可能に止着する止着部材とを備えている。
請求項５記載の遊技機は、請求項４記載の遊技機において、前記機構盤には、前記補助止着部に隣接して、前記止着部材を取り外し可能に保持する保持部材が設けられている。
【００１１】
【発明の実施の形態】
以下、本発明の好ましい実施例について、添付図面を参照して説明する。図１は、本発明の遊技機の一実施例であるパチンコ機Ｐにおける前面枠１及び遊技盤２の裏面（背面）図である。前面枠１は、パチンコ機Ｐ（図３参照）の前面外周に周設される枠状体であり、合成樹脂材料等で略矩形額縁状に形成されている。
【００１２】
前面枠１の上側縁部には梁状の上縁フレーム１ａが設けられ、この上縁フレーム１ａの左右両端には、前面枠１の左右両縁部を構成する一対の側縁フレーム１ｂ，１ｃの上端が連設されている。この一対の側縁フレーム１ｂ，１ｃの下端には略板状の下縁フレーム１ｄの左右両端が連設されており、これらの各フレーム１ａ〜１ｄにより囲まれた部分には遊技盤２の外形に適合した略矩形状の収納空間１ｅが設けられている。
【００１３】
また、収容空間１ｅの周囲を囲む各フレーム１ａ〜１ｄのうち、側縁フレーム１ｃ（図１右側）の上側および下側部分にはピン係合部１ｆ，１ｆが１つずつ設けられている。この一対のピン係合部１ｆ，１ｆは、後述する機構盤４のヒンジピン４ｂ，４ｂを回動可能に軸支する部位であり、かかる軸支により機構盤４（枠フレーム４ａ）を前面枠１の裏面側に開閉可能に支持することができる。
【００１４】
一方、収容空間１ｅにおける側縁フレーム１ｂ側（図１左側）の縁部には、その上側および下側部分に係合ボス１ｇ，１ｈが１つずつ設けられており、また、上縁フレーム１ａおよび下縁フレーム１ｄには、係合ボス１ｉ，１ｊが１つずつ設けられている。これらの各係合ボス１ｇ〜１ｊは、機構盤４の枠フレーム４ａを前面枠１の裏面に固定するための部位であり、機構盤４の枠フレーム４ａに取着される固定具５，１５のロック部材５ｂ（図４参照）と係合（結合）可能に形成されている。
【００１５】
各係合ボス１ｇ〜１ｊは、前面枠１の裏面から図１の紙面に対する垂直方向手前側へ向けてそれぞれ突出されている。これらの各係合ボス１ｇ〜１ｊの突出側の端面（図１の手前側端面）には、略円形状の挿嵌穴ｈ１〜ｈ４が凹設されている。この４つの挿嵌穴ｈ１〜ｈ４は、機構盤４に取着される固定具５，１５のロック部材５ｂが挿嵌されて係合される穴であり、各挿嵌穴ｈ１〜ｈ４に固定具５，１５のロック部材５ｂを係合することによって、機構盤４の枠フレーム４ａを前面枠１の裏面側に固定することができるのである。
【００１６】
遊技盤２は、木製の合板等で略矩形平板状に形成されており、その前面（図１の紙面に対する裏面）に球が打ち込まれる遊技領域２ａが形成されている。遊技盤２は、前面枠１の収容空間１ｅに着脱可能に収容されており、その裏面２ｂには複数種類の図柄を表示する表示装置や各種の入賞口を備えた入賞装置が配設される配設穴２ｃ〜２ｆが遊技盤２の板厚方向（図１の紙面に対する垂直方向）へ貫通して穿設されている。
【００１７】
この遊技盤２の裏面２ｂには、配設穴２ｃ〜２ｅに配設される各種入賞装置の入賞口へ入賞した球を遊技領域２ａの外部へ排出するため、合成樹脂材料等で形成されたセーフ球集合カバー３が取着されている。セーフ球集合カバー３は、主に、略平板状に形成されたベース板３ａを備え、このベース板３ａは、遊技盤２の配設穴２ｃの周囲を囲むように遊技盤２の裏面２ｂに取着されている。
【００１８】
ベース板３ａの下側部分であって配設穴２ｃの下方には、各種入賞装置へ入賞した球が通過可能な通路を有する球集合樋３ｂが設けられており、この球集合樋３ｂにより入賞球を遊技領域２ａの外部へ排出することができる。また、セーフ球集合カバー３が取着された遊技盤２の裏面２ｂには、セーフ球集合カバー３の一側（図１右側）を覆うように役物カバー１６（図３参照）を支持するカバー支持部材３ｃが取着されている。
【００１９】
図２は、機構盤４の裏面図である。図２に示すように、機構盤４は、賞球や貸し球の払い出しを行う球払出装置８が搭載された部品であり、合成樹脂材料等で略矩形額縁状に形成された枠フレーム４ａを備えている。この枠フレーム４ａは、機構盤４の骨格をなす部材であり、その略中央部分には略矩形状の開口である開口窓４ａ１が枠フレーム４ａの厚さ方向（図２の紙面に対する垂直方向）に貫通形成されている。
【００２０】
開口窓４ａ１は、機構盤４が前面枠１に支持された場合（図４参照）に、遊技盤２の裏面２ｂの一部を機構盤４の裏面側に露出させるための開口であり、この開口窓４ａ１から配設穴２ｃ〜２ｆに配設される表示装置や各種入賞装置、及び、カバー支持部材３ｃなどを機構盤４の裏側に露出させることができる。
【００２１】
また、枠フレーム４ａの一側（図２右側）には、上述した前面枠１のピン係合部１ｆ，１ｆに回動可能にそれぞれ軸支される一対のヒンジピン４ｂ，４ｂが設けられている。この一対のヒンジピン４ｂ，４ｂは、機構盤４を前面枠１の裏面側に開閉可能に軸支する開閉軸であり、かかる開閉軸を介して機構盤４を開閉することができるのである。一方、枠フレーム４ａの他側（図２左側）、即ち、ヒンジピン４ｂ，４ｂが設けられた縁部（機構盤４の開閉軸側の縁部）とは反対側の縁部には、固定ユニット４ｃが設けられている。
【００２２】
固定ユニット４ｃは、枠フレーム４ａにおける球タンク６の配設位置の近傍を前面枠１に固定するものであり、主に、固着具５が取着される取着部４ｄと、その取着部４ｄの下側部分に連設される補助止着部４ｅとを備えている。取着部４ｄは、機構盤４の枠フレーム４ａを前面枠１に固定する固定具５を取着するための部位であり、固定具５のボタン部材５ａが嵌着されている。この固定具５は、前面枠１の係合ボス１ｇと係合されることによって、枠フレーム４ａを前面枠１の裏面の所定位置に固定する部品である。なお、固定具５の詳細については後述する。
【００２３】
補助止着部４ｅは、機構盤４を前面枠１に固定する固定具５を補助するものであり、固定具５が取着される取着部４ｄの近傍に隣接して設けられている。この補助止着部４ｅは、取着部４ｄの下端部に連設された略板状体であり、かかる補助止着部４ｅの略中央には略円形状の通穴４ｆが穿設されている。この通穴４ｆは、補助止着部４ｅを遊技盤２の裏面２ｂに止着する場合に連結ねじ１７（図４参照）を挿入するための穴である。この通穴４ｆに連結ねじ１７を挿入して遊技盤２の裏面２ｂへねじ込むことによって、補助止着部４ｅを遊技盤２の裏面２ｂに止着することができ、かかる止着により、機構盤４の枠フレーム４を遊技盤２に固定することができるのである。
【００２４】
固定ユニット４ｃの左方であって、機構盤４の枠フレーム４ａの上部には、台管理装置（図示せず）から供給される球が一旦貯留される球タンク６が配設されている。球タンク６は、その上部が開放された皿状に形成されており、その内部に多量の球を貯留可能な貯留凹部６ａが形成されている。この球タンク６は、その左側下面に貯留凹部６ａと連通する排出口６ｂが開口形成されており、その排出口６ｂへ向けて貯留凹部６ａの底面が下降傾斜されている。よって、貯留凹部６ａに貯留された球を排出口６ｂから排出することができる。球タンク６の下方には球タンクレール７が連設されている。
【００２５】
球タンクレール７は、球タンク６へ供給された球を球払出装置８へ誘導する樋状の部材であり、この球タンクレール７の下流側端部に球払出装置８の上部が連設されている（図２右側）。球払出装置８は、賞球や貸し球を払い出す装置であり、球タンクレール７により球払出装置８の内部へ導かれた球を１個ずつ払出樋９へ払い出すことができる。
【００２６】
また、枠フレーム４ａの固定ユニット４ｃ側縁部（図２左側）における下側部分には、固定具１５が取着される取着部４ｇが設けられている。この取着部４ｇは、上述した固定ユニット４ｃの取着部４ｄと同形状に形成されており、固定具１５のボタン部材５ａが嵌着されている。更に、枠フレーム４ａの上縁部の右側、及び、枠フレーム４ａの下部にも、固定具１５がそれぞれ１つずつ取着されている。尚、固定具１５は、固定具５と同種類の部品で構成されるので、その説明を省略する。
【００２７】
この取着部４ｇに取着される固定具１５、枠フレーム４ａの上縁部の右側に取着される固定具１５、及び、枠フレーム４ｄの下部に固定具１５は、前面枠１の係合ボス１ｈ〜１ｊの各挿嵌穴ｈ２〜ｈ４に対応して、枠フレーム４ａに取着されている。これらの３つの固定具１５が前面枠１の挿嵌穴ｈ２〜ｈ４に係合されることによって、機構盤４の枠フレーム４ａを前面枠１の裏面の所定位置に更に強固に固定することができるのである。
【００２８】
枠フレーム４ａにおける球タンク６の右方には、台管理装置から供給される交流電圧を電源回路基板へと中継する電源中継基板１０が配設されている。電源中継基板１０は、台管理装置から交流電圧の供給を受け、その交流電圧を電源回路基板ボックス１１に収容される電源回路基板へ供給することができる。電源回路基板ボックス１１は、枠フレーム４ａの裏面側下部に取着されており、この電源回路基板ボックス１１の上方であって、枠フレーム４ａにおける開口窓４ａ１の下縁部分には主制御基板ボックス１２が配設されている。
【００２９】
主制御基板ボックス１２は、パチンコ機Ｐにおける遊技全体の制御を行う主制御基板を収容するものであり、この主制御基板ボックス１２の右方には、枠フレーム４ａの裏面右下部（図２右下側）に取着された払出制御基板ボックス１３が配設されている。払出制御基板ボックス１３は、上述した球払出装置８等の制御を行う払出制御基板を収容するものであり、この払出制御基板ボックス１３の左方には、枠フレーム４ａの裏面左下部（図２左下側）に取着された発射制御基板ボックス１４が配設されている。この発射制御基板ボックス１４は、遊技領域２ａへ打ち込まれる球の発射制御を行う発射制御基板を収容するものである。
【００３０】
図３は、パチンコ機Ｐの裏面図であり、図３では補助止着部４ｅの通穴４ｆに挿入される連結ねじ１７の図示を省略している。図３に示すように、機構盤４は、そのヒンジピン４ｂ，４ｂが前面枠１のピン係合部１ｆ，１ｆにそれぞれ軸支され、かかる軸支により前面枠１の裏面側に開閉可能に支持されている。また、このように支持された機構盤４の開口窓４ａ１には役物カバー１６が被せられている。
【００３１】
役物カバー１６は、機構盤４の開口窓４ａ１から露出される遊技盤２の裏面２ｂを覆う部材であり、セーフ球集合カバー３に隣接されるカバー支持部材３ｃにより開閉可能に支持されている。このように役物カバー１６で開口窓４ａ１が覆い塞がれることによって、遊技盤２の裏面２ｂ側から露出される表示装置や各種入賞装置などを覆い隠すことができるのである。
【００３２】
役物カバー１６により開口窓４ａ１が覆われた機構盤４の枠フレーム４ａは、固定ユニット４ｃの取着部４ｄに取着された固定具５、取着部４ｇに取着された固定具１５、及び、枠フレーム４ａの上縁および下縁部分に取着された一対の固定具１５，１５によって、遊技盤２の裏面２ｂ側を覆うように前面枠１の裏面側に固定されている。
【００３３】
図４（ａ）は、パチンコ機Ｐの上部を部分的に断面視した側断面図であり、図４（ｂ）は、図４（ａ）の裏面図であって、図３に示すパチンコ機Ｐの左側上部を拡大視している。図４（ａ）に示すように、前面枠１の裏面側（図４（ａ）左側）には略円筒状の係合ボス１ｇが機構盤４の配設側（図４（ａ）右側）へ向けて突設されている。この係合ボス１ｇは、遊技盤２に設けられた切欠２ｃに填め込まれており、遊技盤２の厚さ方向（図４（ａ）の左右方向）に貫通して、遊技盤２の裏面２ｂから機構盤４側（図４（ａ）右側）へ突出されている。
【００３４】
係合ボス１ｇの突出側の端面（図４（ａ）右端面）には、上述した挿嵌穴ｈ１が凹設されている。しかも、この係合ボス１ｇの突出側の端面には、機構盤４の固定ユニット４ｃにおける取着部４ｄが覆設されている。この取着部４ｄには、挿嵌穴ｈ１と連通した略円形状の取着穴４ｄ１が穿設されている。この取着穴４ｄ１は、固定具５を取着部４ｄに取着するための穴であり、固定具５のボタン部材５ａが嵌着されている。
【００３５】
固定具５は、パネルファスナの一種であり、枠フレーム４ａと前面枠１とを結合して、機構盤４を前面枠１の裏面に固定する部品である。この固定具５は、円筒状に形成されたロック部材５ｂを備えており、このロック部材５ｂ内にはボタン部材５ａが摺動可能に挿嵌されている。ロック部材５ｂは、その先端部（図４（ｂ）左側端）に切り込みが設けられており、その外径方向へ開閉可能に形成されている。
【００３６】
この固定具５によれば、機構盤４が前面枠１の裏面側に支持され、遊技盤２の裏面２ｂと対向しつつ配設されると、ロック部材５ｂが前面枠１の挿嵌穴ｈ１に挿嵌される。かかる状態でボタン部材５ａが前面枠１又は遊技盤２側（図４（ａ）左側）へ向けて押し込まれると、そのロック部材５ｂの先端部（図４（ａ）左端部）が外径方向へ開かれ拡大されて、挿嵌穴ｈ１内に係合される。かかる挿嵌穴ｈ１内にロック部材５ｂの先端部が係合されることにより、係合ボス１ｇと固定ユニット４ｃの取着部４ｄとが結合され、機構盤４の枠フレーム４ａが前面枠１の裏面側に固定されるのである。尚、固定具５による機構盤４の固定を解除する場合には、上述した操作と逆の操作が行われる。
【００３７】
取着部４ｄの下端には略平板状の補助止着部４ｅが連設され、この補助止着部４ｅは、遊技盤２の裏面２ｂと当接されている。補助止着部４ｅには、その厚さ方向（図４（ａ）左右方向）に貫通した略円形状の通穴４ｆが穿設されており、この通穴４ｆには、連結ねじ１７が挿入されている。この連結ねじ１７は、例えば、十字穴付木ねじで構成されており、主に、十字穴が上端面に凹設された頭部１７ａと、外周におねじが刻設された軸部１７ｂとを備えている。この連結ねじ１７は、その軸部１７ｂが遊技盤２にねじ込まれ螺合される一方、頭部１７ａが通穴４ｆの縁部と係合されることによって、遊技盤２と補助止着部４ｅとを連結することができる。
【００３８】
図４（ｂ）に示すように、固定ユニット４ｃは、球タンク６の近傍に隣接して枠フレーム４ａの一側（図４（ｂ）左側）に一体的に設けられている。よって、多量の球を貯留することにより大きな荷重が加わる球タンク６の近傍を、固定具５又は補助止着部４ｅをねじ止めする連結ねじ１７によって、前面枠１や遊技盤２に固定して保持することができる。このように球タンク６の近傍を固定することにより、球タンク６に貯留される球の重みで、枠フレーム４ａが歪むことを防止することができ、かかる歪みに伴う枠フレーム４ａの破損を防止することができるのである。
【００３９】
次に、上記のように構成された機構盤４の固定方法について説明する。まず、枠フレーム４ａの各ヒンジピン４ｂ，４ｂが前面枠１のピン係合部１ｆ，１ｆにそれぞれ軸支されて、機構盤４が前面枠１の裏面側に開閉可能に支持される。その後、機構盤４がヒンジピン４ｂ，４ｂを中心に遊技盤２の裏面２ｂへ向けて閉鎖されると、その閉鎖に伴って、枠フレーム４ａに取着された各固定具５，１５のロック部材５ｂが前面枠１の係合ボス１ｇ〜１ｊの各挿嵌穴ｈ１〜ｈ４に挿嵌される。かかる挿嵌後、各固定具５，１５のボタン部材５ａが押し込まれると、ロック部材５ｂの外径が拡大されて挿嵌穴ｈ１〜ｈ４内に係合される。このロック部材５ｂの係合によって、機構盤４の枠フレーム４ａが前面枠１の裏面側に着脱可能に固定される。
【００４０】
ところで、枠フレーム４ａにおける球タンク６の近傍は、固定ユニット４ｃの取着部４ｄに取着された固定具５によって、前面枠１の裏面側に固定される。ここで、球タンク６に貯留される球の重みで、固定具５のロック部材５ｂや前面枠１の係合ボス１ｇが破損した場合には、かかる固定具５に代えて、補助止着部４ｅを介して、枠フレーム４ａを遊技盤２に固定することができる。
【００４１】
具体的には、まず、連結ねじ１７の軸部１７ｂが補助止着部４ｅの通穴４ｆ内に挿入される。連結ねじ１７は、その頭部１７ａの十字穴にねじ回し工具の先端が係合されてねじ込み方向へ回転されると、軸部１７ｂのおねじが遊技盤２の裏面２ｂ側へねじ込まれる。このねじ込みが完了すると、連結ねじ１７の頭部１７ａが通穴４ｆの縁部に係合され、且つ、軸部１７ｂが遊技盤２に螺合されて、補助止着部４ｅが遊技盤２の裏面２ｂに止着される。この止着によって、機構盤４の枠フレーム４ａが遊技盤２の裏面２ｂに固定され、その結果、機構盤４が前面枠１の裏面側の所定位置に固定されるのである。
【００４２】
また、固定具５により枠フレーム４ａを前面枠１に固定すると共に、補助止着部４ｅを遊技盤２の裏面２ｂに止着することにより、固定具５に加わる機構盤４の荷重（球タンク６に貯留される球の重みや機構盤４の重量）が補助止着部４ｅに分散されて軽減される。このため、球タンク６に貯留される球の重みや機構盤４の重量で、固定具５のロック部材５ｂや前面枠１の係合ボス１ｇに過負荷が加わることをが抑制され、その結果、固定具５のロック部材５ｂや前面枠１の係合ボス１ｇの破損が抑制されるのである。
【００４３】
以上説明したように、本実施例のパチンコ機Ｐによれば、固定ユニット４ｃの補助止着部４ｅは、固定具５が取着される取着部４ｄに隣接して設けられ、且つ、連結ねじ１７によって遊技盤２の裏面２ｂに止着可能に形成されている。よって、球タンク６に貯留される球の重みや機構盤４の重量で、固定具５のロック部材５ｂや前面枠１の係合ボス１ｇが破損した場合には、かかる固定具５に代えて、補助止着部４ｅを連結ねじ１７で遊技盤２の裏面２ｂに止着することにより、機構盤４（枠フレーム４ａ）を遊技盤２にガタつかせずに固定することができるのである。
【００４４】
一方、固定具５のロック部材５ｂや前面枠１の係合ボス１ｇが破損しなくとも、固定具５により枠フレーム４ａを固定すると共に、補助止着部４ｅを介して枠フレーム４ａを遊技盤２に固定することにより、固定具５に加わる機構盤４の荷重（球タンク６に貯留される球の重みや機構盤４の重量）を軽減することができる。このため、球タンク６に貯留される球の重みや機構盤４の重量で、固定具５のロック部材５ｂや前面枠１の係合ボス１ｇに過負荷が加わることをが抑制されるので、その結果、固定具５のロック部材５ｂや前面枠１の係合ボス１ｇの破損を抑制することができる。よって、固定具５や前面枠１の交換や修理に伴うパチンコ機Ｐのメンテナンスコストを低減することができるのである。
【００４５】
また、補助止着部４ｅを備えた固定ユニット４ｃは、多量の球が貯留される球タンク６の近傍に設けられるので、固定具５が破損した場合に、この破損した固定具５に代えて、補助止着部４ｅを連結ねじ１７を遊技盤２の裏面２ｂに止着することにより、枠フレーム４ａにおける球タンク６の近傍を遊技盤２に固定することができる。このため、枠フレーム４ａの球タンク６の近傍を固定具５により固定することができず、球タンク６に貯留される多量の球の重みが枠フレーム４ａに加わり、枠フレーム４ａが歪むなどして破損することを防止することができる。
【００４６】
ところで、機構盤４の骨格をなす枠フレーム４ａは、その一側がヒンジピン４ｂ，４ｂにより前面枠１に開閉可能に支持されるので、かかる枠フレーム４ａのヒンジピン４ｂ，４ｂに機構盤４の荷重が集中してしまう。そこで、枠フレーム４ａの固定ユニット４ｃは、ヒンジピン４ｂ，４ｂが設けられる縁部とは反対側の縁部に設けられている。かかる固定ユニット４ｃに取着される固定具５や補助止着部４ｅより枠フレーム４ａを前面枠１や遊技盤２に固定することによって、ヒンジピン４ｂ，４ｂに集中する機構盤４の荷重を、固定ユニット４ｃの固定具５や補助止着部４ｅに分散させることができる。
【００４７】
よって、例えば、固定ユニット４ｃの固定具５が破損した場合には、かかる固定具５により枠フレーム４ａを固定することができなくとも、連結ねじ１７によって補助止着部４ｅを遊技盤２の裏面２ｂに止着することにより、機構盤４の重量がヒンジピン４ｂ，４ｂに集中することを防止することができる。よって、かかる荷重の集中により枠フレーム４ａが歪んで変形したり、破損してしまうことを防止することができる。
【００４８】
次に、図５から図８を参照して、前記した実施例の変形例について説明する。以下、第１実施例と同一の部分には同一の符号を付してその説明を省略し、異なる部分のみを説明する。図５（ａ）は、第２実施例のパチンコ機２０の上部を部分的に断面視した側断面図であり、図５（ｂ）は、図５（ａ）の裏面図である。また、図５（ａ）中の矢印は、予備用固定具２４を補助止着部２３ｂに取着する際の挿入方向を示している。第２実施例のパチンコ機２０は、上記の第１実施例のパチンコＰの補助止着部４ｅを止着する連結ねじ１７（図４参照）に代替して、予備用固定具２４により補助止着部２３ｂを止着するものである。
【００４９】
図５（ａ）に示すように、前面枠２１の裏面側には係合ボス２１ａが機構盤２３の配設側（図５（ａ）右側）へ向けて突設されている。この係合ボス２１ａは、遊技盤２２に設けられた切欠２２ａに填め込まれており、遊技盤２２の裏面２ｂ側に突出されている。係合ボス２１ａの突出側の端面（図５（ａ）右端面）には、上述した挿嵌穴ｈ１が凹設されると共に、その挿嵌穴ｈ１の下側部分に挿嵌穴２１ｂが凹設されている。
【００５０】
また、係合ボス２１ａの突出側の端面には、機構盤２３の固定ユニット２３ａが当接しつつ覆設されている。固定ユニット２３ａは、上述した取着部４ｄと、その取着部４ｄの下側部分に連設される補助止着部２３ｂとを備えている。この補助止着部２３ｂには、予備用固定具２４を取着するため、略円形状の取着穴２３ｃが補助止着部２３ｂの厚さ方向（図５（ａ）左右方向）に貫通形成されている。この取着穴２３ｃは、係合ボス２１ａの挿嵌穴２１ｂと連通され、予備用固定具２４のボタン部材５ａが嵌着可能に形成されている。尚、予備用固定具２４は、固定具５と同種類の部品で構成されるので、その説明を省略する。
【００５１】
このようなパチンコ機２０によれば、予備用固定具２４のロック部材５ｂの先端（図５（ａ）左側）を固定ユニット２３ａの取着穴２３ｃ内へ挿入して押し込むと、ボタン部材５ａが取着穴２３ｃに嵌着され、ロック部材５ｂが挿嵌穴２１ｂ内に挿嵌される。かかる状態で、予備用固定具２４のボタン部材５ａが更に押し込まれると、その予備用固定具２４のロック部材５ｂの先端部（図５（ａ）左端部）が外径方向へ開かれ拡大されて、挿嵌穴２１ｂ内に係合される。この係合により、補助止着部２３ｂは前面枠２１の係合ボス２１ａに止着され、機構盤２３が前面枠２１の裏面側に固定されるのである。
【００５２】
図５（ｂ）に示すように、枠フレーム４ａの左側端面における固定ユニット２３ａの下方には、上述した予備用固定具２４を着脱可能に保持する略Ｃ字状の予備具ホルダ２５が補助止着部２３ｂに隣接して設けられている。この予備具ホルダ２５は、枠フレーム４ａに固着された略円筒状の筒状体２５ａを備えており、この筒状体２５ａの内周には、図５（ａ）に示すように筒状体２５ａの前後方向（図５（ａ）の左右方向）に貫通された貫通孔２５ｂが設けられている。しかも、この貫通孔２５ｂの内径は、予備用固定具２４のロック部材５ｂの外径より若干小さく形成されている。
【００５３】
筒状体２５ａの外周の一部には、貫通孔２５ｂに達する割れ目２５ｃが設けられている。この割れ目２５ｃは、筒状体２５ａの前後方向（図５（ａ）の左右方向）に連続して設けられており、この割れ目２５ｃにより予備具ホルダ２５に弾性が与えられている。
【００５４】
この予備具ホルダ２５によれば、筒状体２５ａの貫通孔２５ｂへ予備用固定具２４のロック部材５ｂを押し込むと、割れ目２５ｃにより貫通孔２５ｂの内径が弾性的に拡大され、貫通孔２５ｂ内に予備用固定具２４のロック部材５ｂが挿入される。かかる挿入に伴って、予備用固定具２４のロック部材５ｂが予備具ホルダ２５の弾性復元力によりしっかりと保持される。かかる予備具ホルダ２５による予備用固定具２４の保持により、予備用固定具２４を機構盤２３の枠フレーム４ａに備え付けることができる。
【００５５】
よって、予備用固定具２４を用いて機構盤２３を固定する場合には、作業員が予備用固定具２４を所持する必要がなく、容易に予備用固定具２４による機構盤２３の固定作業を行うことができる。また、予備具ホルダ２５に保持された予備用固定具２４を取り外す場合には、貫通孔２５ｂから予備用固定具２４のロック部材５ｂを抜き取ることにより、予備用固定具２４を容易に取り外すことができる。
【００５６】
しかも、予備具ホルダ２５は、その予備具ホルダ２５に保持される予備用固定具２４により止着される補助止着部２３ｂに隣接して設けられるので、予備用固定具２４による機構盤２３の固定作業を行う作業者が、予備具ホルダ２５に保持された予備用固定具２４を容易に発見することができるのである。
【００５７】
図６は、第３実施例のパチンコ機３０の上部を部分的に断面視した側断面図であり、図中の矢印は、連結ねじ３４をナット３２へねじ込む際のねじ込み方向を示している。第３実施例のパチンコ機３０は、上記の第１実施例のパチンコＰの補助止着部４ｅを止着する連結ねじ１７（図４参照）に代替して、連結ねじ３４により補助止着部３３ｂを止着するものである。
【００５８】
図６に示すように、前面枠３１の裏面側（図６左側）には係合ボス３１ａが機構盤３３の配設側（図６右側）へ向けて突設されている。この係合ボス３１ａは、遊技盤２２に設けられた切欠２２ａに填め込まれており、遊技盤２２の裏面２ｂ側に突出されている。また、係合ボス３１ａの突出側の端面（図６右端面）には、上述した挿嵌穴ｈ１が凹設されると共に、その挿嵌穴ｈ１の下側部分に挿嵌穴３１ｂが凹設されている。この挿嵌穴３１ｂの内部には、連結ねじ３４がねじ込まれる略円筒状のナット３２が嵌着されている。
【００５９】
ナット３２は、真鍮等の金属材料で形成されており、その内周にめねじが螺刻されたねじ穴３２ａが設けられている。また、ナット３２の外周面３２ｂには、ローレット切りが施され、細かな凹凸が設けられている。この外周面３２ｂの細かな凹凸が挿嵌穴３１ｂの内周面に引っ掛かることによって、ナット３２は、挿嵌穴３１ｂ内に抜け外れることなく保持されるのである。
【００６０】
ナット３２が嵌着された係合ボス３１ａの突出側の端面には、機構盤３３の固定ユニット３３ａが当接しつつ覆設されている。この固定ユニット３３ａは、上述した取着部４ｄと、その取着部４ｄの下側部分に連設される補助止着部３３ｂとを備え、この補助止着部３３ｂには、ナット３２のめねじ穴３２ａと連通した略円形状の取着穴３３ｃが補助止着部３３ｂの厚さ方向（図６左右方向）に貫通形成されている。
【００６１】
連結ねじ３４は、例えば、ちょうボルトの一種であり、主に、一対の平板状の翼部３４ｃが両端に設けられた頭部３４ａと、外周におねじが螺刻された軸部３４ｂとを備えている。この連結ねじ３４によれば、一対の翼部３４ｃが把持されて頭部３４ａが回転されると、軸部３４ｂがナット３２のねじ穴３２ａにねじ込まれ螺合される。この連結ねじ３４ａのねじ込みが完了すると、補助止着部３３ｂは、係合ボス３１ａと連結ねじ３４の頭部３４ａとの間に共締め（止着）され、機構盤３３が前面枠３１に固定されるのである。
【００６２】
このように、連結ねじ３４では、一対の翼部３４ｃを指先で把持して回転させることによって、軸部３４ｂがナット３２のねじ穴３２ａにねじ込まれるので、ねじ回し工具等を用いることなく、連結ねじ３４により機構盤３３を前面枠３１に固定することができる。また、ナット３２や連結ねじ３４は、合成樹脂材料に比べて剛性強度が大きな金属材料で形成されるので、機構盤３３に加わる過荷重が各部材３２，３４に加わった場合に、これらの各部材３２，３４を破損しにくくすることができる。
【００６３】
更に、たとえナット３２が破損したとしても、かかる破損したナット３２を挿嵌穴３１ｂから抜き取り、別のナット３２に交換することができる。このため、ナット３２の破損に伴って前面枠３１全体を交換する必要がなく、ナット３２のみを交換すればよいので、その分、パチンコ機３０のメンテナンスコストを低減することができる。
【００６４】
図７は、第４実施例のパチンコ機４０の上部を部分的に断面視した側断面図である。第４実施例のパチンコ機４０は、上記の第１実施例のパチンコＰの補助止着部４ｅを止着する連結ねじ１７（図４参照）に代替して、連結ナット４３により補助止着部４２ｂを止着するものである。
【００６５】
図７に示すように、前面枠４１の裏面側（図７左側）には係合ボス４１ａが機構盤４２の配設側（図７右側）へ向けて突設されている。この係合ボス４１ａは、遊技盤２２に設けられた切欠２２ａに填め込まれており、遊技盤２２の裏面２ｂ側に突出されている。この係合ボス４１ａの突出側の端面（図７右端面）には、上述した挿嵌穴ｈ１が凹設されると共に、その挿嵌穴ｈ１の下側部分に略円柱状の軸部４１ｂが機構盤４２の配設側（図７右側）へ向けて突設されている。この軸部４１ｂは、後述する連結ナット４３のねじ穴４３ａにねじ込まれる部位であり、かかる軸部４１ｂの外周にはおねじが螺刻されている。
【００６６】
軸部４１ｂが突設された係合ボス４１ａの突出側の端面には、機構盤４２の固定ユニット４２ａが当接しつつ覆設されている。この固定ユニット４２ａは、上述した取着部４ｄと、その取着部４ｄの下側部分に連設される補助止着部４２ｂとを備えている。この補助止着部４２ｂには、軸部４１ｂが挿入可能な略円形状の通穴４２ｃが補助止着部４２ｂの厚さ方向（図７左右方向）に貫通形成されている。この通穴４２ｃには軸部４１ｂが挿入されており、この軸部４１ｂは通穴４２ｃを貫通して、機構盤４２（枠フレーム４ａ）の裏面側に突出されている。
【００６７】
連結ナット４３は、例えば、ちょうナットの一種であり、主に、その厚さ方向（図７左右方向）に貫通形成されたねじ穴４３ａと、一対の平板状の翼部４３ｂとを備えている。連結ナット４３のねじ穴４３ａは、その内周面に軸部４１ｂのおねじと螺合されるめねじが螺刻されている。この連結ナット４３によれば、一対の翼部４３ｂが指先で把持され回転されると、そのねじ穴４３ａに係合ボス４１ａの軸部４１ｂがねじ込まれ螺合される。この連結ナット４３のねじ穴４３ａへの軸部４１ｂのねじ込みが完了すると、補助止着部４２ｂは、連結ナット４３と係合ボス部４１ａとの間に共締め（止着）され、機構盤４２が前面枠４１に固定されるのである。
【００６８】
このように、連結ナット４３では、一対の翼部４３ｂを指先で把持して回転させることによって、ねじ穴４３ａに軸部４１ｂをねじ込ませることができるので、スパナ等のナット回し工具を用いることなく、機構盤４２を前面枠４１に固定することができる。
【００６９】
図８は、第５実施例のパチンコ機５０の上部を部分的に断面視した側断面図である。第５実施例のパチンコ機５０は、上記の第１実施例のパチンコＰの機構盤４を固定する固定具５（図４参照）に代替して、固定具５４により機構盤５３を固定するものである。なお、以下、図８の紙面に対する垂直方向を「横幅方向」と称す。
【００７０】
図８に示すように、前面枠５１の裏面側（図８左側）には係合ボス５１ａが機構盤５３の配設側（図８右側）へ向けて突設されている。係合ボス５１ａは、遊技盤２に設けられた切欠２ｃに填め込まれており、この係合ボス５１ａの突出側の端面（図８右端面）には係合フック５２が設けられている。この係合フック５２は、機構盤５３を前面枠５１に固定するために固定具５４と結合される部材であり、機構盤５３の配設側（図８右側）へ向けて延出され、その延出部分の先端上面に凹状の係合凹部５２ａが凹設されている。
【００７１】
機構盤５３は、その骨格をなす枠フレーム４ａを備えており、この枠フレーム４ａには固定ユニット５３ａが一体的に形成されている。固定ユニット５３ａは略平板状に形成されており、その上側部分には固定具５４が取着される平板状の取着部５３ｂが設けられている。取着部５３ｂには、その板厚方向（図８左右方向）に貫通した開口である通穴５３ｃが穿設されており、この通穴５３ｃには係合フック５２が貫通されている。なお、固定ユニット５３ａにおける通穴５３ｃより下側部分には、上述した補助止着部４ｅが連設されている。
【００７２】
固定ユニット５３ａの取着部５３ｂには、固定具５４の取着ベース５４ａがねじ止めにより取着されている。固定具５４は、機構盤５３を前面枠５１の裏面側に固定するための部品であり、主に、取着ベース５４ａと、その取着ベース５４ａの横幅方向両側から球タンク６の配設側（図８右側）へ向けて立設される一対の支持板５４ｂと、その一対の支持板５４ｂにより揺動可能に支持される操作レバー５４ｃと、操作レバー５４ｃの揺動動作に応じて係合フック５２に着脱可能に係合されるリンク部材５４ｄとを備えている。
【００７３】
取着ベース５４ａには、その厚さ方向（図８左右方向）に貫通した開口である通穴５４ａ１が通穴５３ｃに対応して穿設されており、この通穴５３ｃ，５４ａ１から上述した係合フック５２が機構盤５３の裏面側（図８右側）へ突出されている。また、一対の支持板５４ｂの上側部分には操作レバー５４ｃが揺動軸５４ｃ１を介して揺動可能に軸着される一方、一対の支持板５４ｂの下側部分には上下方向に長溝状に形成された摺動溝５４ｂ１がそれぞれ設けられている。この各摺動溝５４ｂ１には、リンク部材５４ｄの摺動ピン５４ｄ１がそれぞれ摺動可能に係合されており、この各摺動溝５４ｂ１の上部には、摺動ピン５４ｄ１が嵌合可能なロック凹部５４ｂ２が設けられている。
【００７４】
操作レバー５４ｃは、リンク部材５４ｄの摺動ピン５４ｄ１を支持板５４ｂの摺動溝５４ｂ１内で摺動させて、リンク部材５４ｄの係合バー５４ｄ２を上下動させる部材である。この操作レバー５４ｃの下側部分には軸状の連結軸５４ｃ２が設けられており、この連結軸５４ｃ２にはリンク部材５４の一端側（図８右上側）が回動可能に軸着されている。
【００７５】
リンク部材５４ｄは、一対の支持板５４ｂと操作レバー５４ｃとを連結する部材である。このリンク部材５４ｄの一端側は、操作レバー５４ｃの連結軸５４ｃ２に回動可能に軸着されており、一方、リンク部材５４ｄの他端側には係合フック５２の係合凹部５２ａに係合される係合バー５４ｄ２が設けられている。また、リンク部材５４ｄの係合バー５４ｄ２の横幅方向両端には、上述した摺動ピン５４ｄ１がそれぞれ設けられている。
【００７６】
以上説明したように、第５実施例のパチンコ機５０の固定具５４によれば、操作レバー５４ｃが揺動軸５４ｃ１を中心に下方へ揺動されると、リンク部材５４ｄが連結軸５４ｃ２を介して回動され、リンク部材５４ｄが下方へ向けて押下される。リンク部材５４ｄが押下されると、その摺動ピン５４ｄ１がロック凹部５４ｂ２から外れて摺動溝５４ｂ１を下方へ向けて摺動する。この摺動に伴って、摺動ピン５４ｄ１が摺動溝５４ｂ１の下端に到達すると、リンク部材５４ｄの係合バー５４ｄ２が係合フック５２の係合凹部５２ａに係合され、かかる係合により機構盤５３を前面枠５１に固定することができるのである。
【００７７】
図９は、第６実施例のパチンコ機６０の上部の部分的な斜視図である。第６実施例のパチンコ機６０は、上記の第１実施例のパチンコＰの補助止着部４ｅを止着する連結ねじ１７（図４参照）に代替して、係止突起６１ｂ及び係止片６３により補助止着部６２ｂを止着するものである。
【００７８】
図９に示すように、前面枠６１の裏面側には係合ボス６１ａが機構盤６２の配設側（図９右側）へ向けて突設されている。係合ボス６１ａは、遊技盤２２に設けられた切欠２２ａに填め込まれており、遊技盤２の裏面２ｂ側に突出されている。係合ボス６１ａの突出側の端面（図９右端面）には、機構盤６２の配設側（図９右側）へ向けて略円柱状の係止突起６１ｂが突設されている。この係止突起６１ｂは、機構盤６２における固定ユニット６２ａの補助止着部６２ｂに穿設された通穴６２ｃに挿入可能に形成され、係止突起６１ｂの先端外周には凹状の係止溝６１ｃが凹設されている。
【００７９】
一方、固定ユニット６２ａにおける補助止着部６２ｂの下端には略平板状の係止片６３が設けられている。この係止片６３は、回動軸６３ａを介して補助止着部６２ｂに回動可能に軸着されており、この係止片６３の上端面には上述した係止突起６１ｂの係止溝６１ｃに係合可能な係止凹部６３ｂが凹設されている。
【００８０】
このように構成されたパチンコ機６０によれば、補助止着部６２ｂの通穴６２ｃへ係止突起６１ｂを通した後、係止片６３を回動軸６３ａを中心に上方へ向けて回動させると、係止片６３の係止凹部６３ｂが係止突起６１ｂの係止溝６１ｃに填め込まれ、係止突起６１ｂと係止片６３とが係合される。この係合により、補助止着部６２ｂは前面枠６１の係合ボス６１ａに止着され、機構盤６２が前面枠６１の裏面側に固定されるのである。
【００８１】
図１０は、第７実施例のパチンコ機７０の裏面上部の拡大図である。第７実施例のパチンコ機７０は、上記の第１実施例のパチンコＰの補助止着部４ｅを止着する連結ねじ１７（図４参照）に代替して、留め具７３により補助止着部７２ｂを止着するものである。
【００８２】
図１０に示すように、留め具７３は、略Ｌ字状に屈曲形成された板状体７３ａで形成されており、この板状体７３ａの屈曲部に設けられた回動軸７３ｂを中心に前面枠１の裏面側に回動可能に軸着されている。板状体７３ａの一端部（図１０右側）には、補助止着部７２ｂとの対向面に凸部７３ｃが突設されており、この凸部７３ｃは補助止着部７２ｂへ向けて突出されている。また、補助止着部７２ｂの略中央部分には、凸部７３ｃが嵌合可能な凹部７２ｃが凹設されており、かかる凹部７２ｃには留め具７３の凸部７３ｃが嵌合されている。
【００８３】
このように構成されたパチンコ機７０の留め具７３によれば、板状体７３ａが回動軸７３ｂを中心に回動されると、板状体７３ａの一端部が前面枠７１と機構盤７２の補助止着部７２ｂとの間に跨り、その補助止着部７２ｂの凹部７２ｃに留め具７３の凸部７３ｃが嵌合される。この結果、留め具７３の凸部７３ｃと遊技盤２の裏面２ｂとの間に補助止着部７２ｂが挟持されつつ止着され、機構盤７２が前面枠７１の裏面側に固定されるのである。
【００８４】
以上、実施例に基づき本発明を説明したが、本発明は上記実施例に何ら限定されるものではなく、本発明の趣旨を逸脱しない範囲内で種々の改良変形が可能であることは容易に推察できるものである。
【００８５】
例えば、第１実施例では、固定具５による機構盤４の固定を補助する補助止着部４ｅは、球タンク６と隣接して枠フレーム４ａの１箇所に設けられたが、かかる補助止着部の配設箇所は必ずしもこれに限られるものではなく、固定具５の近傍に設ける他、固定具５とは別の固定具１５の近傍に隣接して設けても良い。なお、第２から第７実施例についても、補助止着部を他の固定具１５の近傍に設けても良い。
【００８６】
また、第１から第４実施例では、本発明の固定具として、パネルファスナの一種である固定具５を用いて説明したが、かかる固定具は必ずしもこれに限られるものではなく、前面枠の裏面、又は、機構盤の裏面等に機構盤を固定することができるものであれば良い。よって、例えば、第７実施例の留め具７３と同種類の留め具を機構盤の固定具として適用しても良い。
【００８７】
第３実施例では、係合ボス３１ａと固定ユニット３３ａとを結合する連結ねじ３４として「ちょうボルト」を用いたが、かかる連結ねじの種類は必ずしもこれに限られるものではなく、例えば、十字穴付ねじや、すりわり付ねじを用いても良い。また、第４実施例では、係合ボス４１ａと固定ユニット４２ａとを結合する連結ナット４３として「ちょうナット」を用いたが、かかる連結ナットの種類は必ずしもこれに限られるものではなく、例えば、四角ナット、六角ナット又は六角袋ナットなどを用いても良い。
【００８８】
また、第１実施例では、本発明の取付枠として、遊技盤２を収容可能な収容空間１ｅを有する前面枠１を例に説明したが、遊技盤の取付部材と前面枠とが別体に形成されたパチンコ機に本発明を適用しても良い。
【００８９】
第１及び第３から第５実施例の枠フレーム４ａには、補助止着部４ｅ，２３ｂ，３３ｂ，４２ｂの止着に使用される各部材１７，２４，３４，４３を着脱可能に保持するホルダ部材（保持部材）を枠フレーム４ａに設けても良い。かかるホルダ部材に各部材１７，２４，３４，４３を常時保持しておけば、補助止着部４ｅ，２３ｂ，３３ｂ，４２ｂを止着する作業者は、各部材１７，２４，３４，４３を予め所持する必要がなくなり、止着作業を容易に行うことができる。しかも、かかるホルダ部材を補助止着部４ｅ，２３ｂ，３３ｂ，４２ｂに隣接して設けることにより、作業者は各部材１７，２４，３４，４３を容易に発見することができる。
【００９０】
なお、以下本発明の変形例を示す。請求項１記載の遊技機において、前記機構盤は、その機構盤の骨格をなす枠フレームと、その枠フレームの上部に配設され多量の球を貯留可能に形成された球タンクとを備え、前記固定具および補助止着部は前記枠フレームにおける前記球タンクの配設位置の近傍に設けられていることを特徴とする遊技機１。
【００９１】
この遊技機１によれば、球タンクには多量の球が貯留されるので、かかる多量の球の重みで枠フレームの上部に大きな負荷が加わってしまう。そこで、かかる球タンクの配設位置の近傍には固定具が設けられており、かかる固定具によって枠フレームを遊技盤または取付枠の裏面側に固定することができる。ここで、固定具が破損した場合には、補助止着部を遊技盤または取付枠の裏面側に止着することによって、機構盤を遊技盤または取付枠の所定位置に固定することができる。このため、枠フレームを固定具により固定することができず、球タンクに貯留される多量の球の重みが枠フレームに加わり、枠フレームが歪んでしまうことを抑制することができる。
【００９２】
一方、固定具によって枠フレームの上部を固定することができる場合でも、補助止着部を遊技盤または取付枠の裏面側に止着することによって、球タンクに貯留される球の重みにより枠フレームの上部に加わる負荷、特に、固定具に加わる負荷を軽減することができる。このため、球タンクに加わる過負荷による固定具の破損を抑制することができるのである。
【００９３】
請求項１記載の遊技機、又は、遊技機１において、前記機構盤は、その機構盤の骨格をなすとともに各種の構成部品が搭載される枠フレームと、その枠フレームの一側縁部に設けられ、その枠フレームを前記遊技盤または取付枠に裏面側に開閉可能に軸支する開閉軸とを備え、前記固定具および補助止着部は、その枠フレームにおける前記開閉軸とは反対側に設けられていることを特徴とする遊技機２。
【００９４】
この遊技機２によれば、機構盤の骨格をなす枠フレームは、その一側縁部が開閉軸によって遊技盤または取付枠に開閉可能に軸支されので、かかる枠フレームの開閉軸近傍に機構盤の重みが集中してしまう。そこで、枠フレームの開閉軸とは反対側には固定具が設けられており、この固定具によって枠フレームを遊技盤または取付枠の裏面側に固定することができる。また、固定具が破損した場合には、補助止着部を遊技盤または取付枠の裏面側に止着することによって、機構盤を遊技盤または取付枠の所定位置に固定することができる。このため、枠フレームを固定具により固定することができず、枠フレームに搭載される各種の構成部品の重みが枠フレームに加わり、枠フレームが歪んでしまうことを抑制することができる。
【００９５】
一方、固定具によって枠フレームの上部を固定することができる場合でも、補助止着部を遊技盤または取付枠の裏面側に止着することによって、各種の構成部品の重みにより枠フレームに加わる負荷、特に、固定具に加わる負荷を軽減することができる。このため、かかる各種の構成部品が搭載された枠フレームの重みで固定具の破損を抑制することができるのである。
【００９６】
請求項１記載の遊技機、又は、遊技機１あるいは２において、前記補助止着部に対応して前記遊技盤または取付枠に設けられる連結部と、その連結部と前記補助止着部とを連結して、その補助止着部を前記遊技盤または取付枠の裏面側に着脱可能に止着する止着部材とを備えていることを特徴とする遊技機３。
【００９７】
この遊技機３によれば、遊技盤または取付枠の裏面側に配設された機構盤は、止着部材によって、機構盤の補助止着部と遊技盤または取付枠の連結部とが連結され、かかる連結により補助止着部が遊技盤または取付枠に着脱可能に止着することができる。
【００９８】
遊技機３において、前記機構盤には、前記補助止着部に隣接して、前記止着部材を取り外し可能に保持する保持部材が設けられていることを特徴とする遊技機４。よって、補助止着部と連結部とを連結する場合、保持部材に保持された止着部材を取り外し、その止着部材を用いて、補助止着部と連結部とを連結することができる。従って、補助止着部を取付枠または遊技盤の裏面側に止着する場合に、作業員が止着部材を予め所持する必要がなく、容易に補助止着部による機構盤の止着を行うことができるのである。
【００９９】
また、止着部材を保持する保持部材は、補助止着部に隣接して設けられるので、止着部材により連結部と補助止着部とを連結する作業者が、保持部材に保持された止着部材を容易に発見することができるのである。
【０１００】
【発明の効果】
請求項１記載の遊技機によれば、固定具の第１結合部の近傍に設けられる補助止着部は、遊技盤または取付枠の裏面側に止着可能に形成されている。よって、例えば、機構盤を固定する固定具が破損した場合には、補助止着部を遊技盤または取付枠の裏面側に止着することによって、機構盤を遊技盤または取付枠の所定位置に固定することができるという効果がある。このため、固定具が破損した機構盤であっても、遊技盤や取付枠の裏面側にガタつかせずに固定することができるのである。
【０１０１】
一方、固定具が破損することなく機構盤を固定することができる場合であっても、補助止着部を遊技盤または取付枠の裏面側に止着することによって、機構盤を固定する固定具に加わる負荷を軽減することができるので、固定具に過負荷が加わることがなく、かかる過負荷による固定具の破損を抑制することができるという効果がある。このため、固定具の第１結合部や第２結合部の交換や修理をする必要がなく、その分、遊技機のメンテナンスコストを低減することができるという効果がある。
【０１０２】
請求項２記載の遊技機によれば、請求項１記載の遊技機の奏する効果に加え、球タンクには多量の球が貯留されるので、多量の球の重みで枠フレームの上部に大きな負荷が加わるが、球タンクの配設位置の近傍には固定具が設けられており、かかる固定具によって枠フレームを遊技盤または取付枠の裏面側に固定することができる。固定具が破損した場合には、補助止着部を遊技盤または取付枠の裏面側に止着することによって、機構盤を遊技盤または取付枠の所定位置に固定することができる。このため、枠フレームを固定具により固定することができ無い場合にも、球タンクに貯留される多量の球の重みが枠フレームに加わって枠フレームが歪んでしまうことを抑制することができるという効果がある。
【０１０３】
一方、固定具によって枠フレームの上部を固定することができる場合でも、補助止着部を遊技盤または取付枠の裏面側に止着することによって、球タンクに貯留される球の重みにより枠フレームの上部に加わる負荷、特に、固定具に加わる負荷を軽減することができるので、球タンクに加わる過負荷による固定具の破損を抑制することができるのであるという効果がある。
【０１０４】
請求項３記載の遊技機によれば、請求項１又は２に記載の遊技機の奏する効果に加え、機構盤の骨格をなす枠フレームは、その一側縁部が開閉軸によって遊技盤または取付枠に開閉可能に軸支されので、かかる枠フレームの開閉軸近傍に機構盤の重みが集中するが、枠フレームの開閉軸とは反対側には固定具が設けられており、この固定具によって枠フレームを遊技盤または取付枠の裏面側に固定することができる。固定具が破損した場合には、補助止着部を遊技盤または取付枠の裏面側に止着することによって、機構盤を遊技盤または取付枠の所定位置に固定することができる。このため、枠フレームを固定具により固定することができず、枠フレームに搭載される各種の構成部品の重みが枠フレームに加わって枠フレームが歪んでしまうことを抑制することができるという効果がある。
【０１０５】
一方、固定具によって枠フレームの上部を固定することができる場合でも、補助止着部を遊技盤または取付枠の裏面側に止着することによって、各種の構成部品の重みにより枠フレームに加わる負荷、特に、固定具に加わる負荷を軽減することができるので、各種の構成部品が搭載された枠フレームの重みによる固定具の破損を抑制することができるという効果がある。
【０１０６】
請求項４記載の遊技機によれば、請求項１から３のいずれかに記載の遊技機の奏する効果に加え、止着部材によって、機構盤の補助止着部と遊技盤または取付枠の連結部とが連結されるので、かかる連結により機構盤を遊技盤または取付枠に着脱可能に止着することができるという効果がある。
【０１０７】
請求項５記載の遊技機によれば、請求項４記載の遊技機の奏する効果に加え、補助止着部と連結部とは、保持部材に保持された止着部材を取り外し、その止着部材を用いて連結される。よって、補助止着部を取付枠または遊技盤の裏面側に止着する場合、作業員が止着部材を予め所持する必要がなく、容易に補助止着部による機構盤の止着を行うことができるという効果がある。また、止着部材を保持する保持部材は、補助止着部に隣接して設けられるので、止着部材により連結部と補助止着部とを連結する作業者が、保持部材に保持された止着部材を容易に発見することができるという効果がある。
【図面の簡単な説明】
【図１】本発明の遊技機の一実施例であるパチンコ機における前面枠及び遊技盤の裏面図である。
【図２】機構盤の裏面図である。
【図３】パチンコ機の裏面図である。
【図４】（ａ）は、パチンコ機の上部を部分的に断面視した側断面図であり、（ｂ）は、（ａ）の裏面図である。
【図５】（ａ）は、第２実施例のパチンコ機の上部を部分的に断面視した側断面図であり、（ｂ）は、（ａ）の裏面図である。
【図６】第３実施例のパチンコ機の上部を部分的に断面視した側断面図である。
【図７】第４実施例のパチンコ機の上部を部分的に断面視した側断面図である。
【図８】第５実施例のパチンコ機の上部を部分的に断面視した側断面図である。
【図９】第６実施例のパチンコ機の上部の部分的な斜視図である。
【図１０】第７実施例のパチンコ機の裏面上部の拡大図である。
【符号の説明】
１，２１，３１，４１，５１      前面枠（取付枠）
１ｇ，３１ａ，４１ａ，５１ａ    係合ボス（第２結合部）
２，２２                        遊技盤
２ａ                            遊技領域
２ｂ                            裏面（連結部）
４，２３，３３．４２，５３      機構盤
４ａ                            枠フレーム
４ｂ                            ヒンジピン（開閉軸）
４ｄ，５３ｂ                    取着部（第１結合部）
４ｅ，２３ｂ，３３ｂ，４２ｂ    補助止着部
５，５４                        固定具
６                              球タンク（球タンク、構成部品の一部）
７                              球タンクレール（構成部品の一部）
８                              球払出装置（構成部品の一部）
９                              払出樋（構成部品の一部）
１０                            電源中継基板（構成部品の一部）
１１                            電源回路基板ボックス（構成部品の一部）
１２                            主制御基板ボックス（構成部品の一部）
１３                            払出制御基板ボックス（構成部品の一部）
１４                            発射制御基板ボックス（構成部品の一部）
１７，３４                      連結ねじ（止着部材）
２０，３０，４０，５０          パチンコ機（遊技機）
２１ｂ                          係合ボス（第２結合部、連結部）
２４                            予備用固定具（止着部材）
２５                            予備具ホルダ（保持部材）
３２                            ナット（連結部）
４１ｂ                          軸部（連結部）
４３                            連結ナット（止着部材）
６０，７０                      パチンコ機（遊技機）
６１，７１                      前面枠（取付枠）
６１ａ                          係合ボス（第２結合部）
６１ｂ                          係止突起（連結部）
６２，７２                      機構盤
６２ｂ，７２ｂ                  補助止着部
６３                            係止片（止着部材）
７３                            留め具（止着部材）
Ｐ                              パチンコ機（遊技機）